(57)【要約】【課題】  下げ角θの大きさを変えても、度決め部や安定化カム面の作用には影響が生じにくい度山カム装置を提供する。【解決手段】  回転カム１１は、下げカム面１１ａの傾斜角度としての下げ角θ１、θ２を変化させることができる。ガイド部材１３は、度決め部１２ｅの内側に設ける回転中心１１ｂを中心に回転カム１１が回転するように案内する。回転中心１１ｂに軸を設ける必要はないので、度決め部１２ｅの弧を小さくすることができる。摺動カム１２の引下げ量が少ない左側の度山カム装置１０の下げ角θ２よりも大きくなっており、度目値に応じてより適切な条件で編目を形成することができる。下げ角θ１，θ２が変化しても、摺動カム１２に設けられる度決め部１２ｅや安定化カム面１２ａは角度が変化しないので、編成する編目の安定性に対する、下げ角θ１、θ２の変化の影響を避けることができる。【選択図】  図１
2011137270.tif 000002
【特許請求の範囲】
【請求項１】
横編機のキャリッジに搭載され、編針を歯口から退出する方向に引込むように傾斜する下げカム面と、下げカム面の傾斜が終了して編針の引込み量を決定する度決め部と、編針を引込んだ状態で編目を安定させる安定化カム面とを備え、編針の引込み量に対応する度目値を調整可能な度山カム装置において、
該下げカム面を外形の一部として有し、内側には、度決め部の内側に設けられる回転中心を共通の中心とする異なる径の円弧の少なくとも一部ずつに対応する内側の円弧面と外側の円弧面とを輪郭に含む空所を有し、キャリッジの走行方向に対して、下げカム面が傾斜する下げ角が変化しうるように、回転可能な回転カムと、
回転カムを支持する支持面を有し、度目値に対応して、予め定める基準の下げ角の傾斜に沿って摺動移動可能な摺動カムと、
摺動カムの支持面で支持される回転カムの空所内に収容され、空所の輪郭の内側の円弧面と外側の円弧面とにそれぞれ対応する円弧面を有し、対応する円弧面同士を接触さながら回転カムの回転を案内するガイド部材と、
摺動カムの支持面で支持され、ガイド部材によって案内される回転カムを回転させる回転機構とを、
含むことを特徴とする度山カム装置。
【請求項２】
前記度決め部および前記安定化カム面は、前記摺動カムに備えられている、
ことを特徴とする請求項１記載の度山カム装置。
【請求項３】
前記度決め部は、前記回転中心を中心とする弧の部分を有し、弧の部分で度決めを行う、
ことを特徴とする請求項１または２記載の度山カム装置。
【請求項４】
前記キャリッジには、前記摺動カムを前記基準の下げ角に沿って摺動移動するように案内する直線状の摺動案内溝が形成され、
前記回転機構は、
キャリッジに、摺動案内溝に対して大略的に平行となるように形成され、該案内溝との間隔が変化する部分を含む回転案内溝を有し、
回転案内溝で前記回転カムの一部を案内することによって、回転カムを摺動カムに連動させる、
ことを特徴とする請求項１〜３のいずれか一つに記載の度山カム装置。
【発明の詳細な説明】
【技術分野】
【０００１】
本発明は、横編機のキャリッジに搭載され、針床に並設される編針のバットに作用し、編針を針床に引込んで編目を形成する度山カム装置に関する。
【背景技術】
【０００２】
従来から、横編機のキャリッジには、編針を、先端のフックが歯口に進出している状態から、針床に引込むための下げカム面が形成されている度山カムを含むカムシステムが搭載されている。度山カムを、下げカム面で編針を引込む傾斜の方向に摺動移動させるようにすれば、編針の引込み量を変化させ、編目の大きさを示す度目値を調整することができる（たとえば、特許文献１参照）。度目値が大きいと編糸の引込み量も多くなり、編目が粗くなる。度目値が小さいと編糸の引込み量も少なくなり、編目が細かくなる。
【０００３】
図７（ａ）は、特許文献１に開示されている度目制御装置の図１に符号４を付して記載されている度山カムを、符号を１に変更して示す。度山カム１は、図示を省略しているキャリッジが針床２の表面に沿って、図の左右方向に走行する際に、針床２の先端側の歯口３から、編針４の先端側のフック４ａが後退するように、下げカム面１ａで編針４のバット４ｂに作用する。編針４は、針床２に引込まれ、図示を省略している針溝に収容される。下げカム面１ａは、編針４の引込量を決定する度決め部１ｂに移行して終了する。度決め部１ｂは、フミと呼ばれている。また、編針４は模式的に示し、特にフック４ａは、実際に針床２の表面側から見た状態ではなく、フック４ａの部分のみ、９０度回転させた状態で示す。さらに、編針４は、べら針を示し、フック４ａを開閉するために、べら４ｃが備えられている。
【０００４】
フック４ａ内に形成済の編目を保持し、べら４ｃが閉じている状態を想定する。フック４ａを歯口３に進出させると、フック４ａ内の編目は針床２の先端付近に留まるので、編目はべら４ｃを開いて針幹側４ｄに、相対的に移動する。歯口３に進出した編針４のフック４ａには、歯口３で編糸５が供給される。度山カム１で編針４を針床２側に引込むと、針幹４ｄ側に移動していた編目は、相対的にフック４ａ側に移動し、その途中でべら４ｃを閉じ、フック４ａ内には入らずに、フック４ａをノックオーバして歯口３側に離脱する。このようにして形成される旧ループは図示を省略し、編目６としては、フック４ａで形成する新ループのみを示す。
【０００５】
図７（ｂ）は、度山カム１の度決め部１ｂ付近の構成を示す。下げカム面１ａは、キャリッジに対して相対的に針床２側が移動する方向２ａに対し、下げ角θだけ傾斜している。下げ角θは約５０度程度に保たれている。度決め部１ｂの幅が大きいと、編糸５が切れるおそれが生じる。度決め部１ｂの幅が小さいと、編針４の引込みで編目６を形成しても、次の編針４の引込みで、編目６が小さくなってしまうおそれがある。
度山カム１の下側には、度決め部１ｂに続いて、形成された編目を安定化させる安定化用カム面として、ニゲ１ｃが形成される場合もある。ニゲ１ｃが形成されていても、編針４のバット４ｂは、惰性で、度決め部１ｂの延長線１ｄの方向に移動する。ただし、結び目などがニゲ１ｃの部分に到来すると、編糸５がたるんで、糸切れを防止する。また、ならし１ｅと呼ばれる凹凸が引込み糸長を均一にするために設けられることもある。さらに、下げカム面１ａから安定化カム面に移行する位置の度決め部１ｂには、丸味を持たせる場合もある。度決め部１ｂや安定化カム面は、編目６の大きさが揃った編地を形成するために、特に度目調整を行う場合は調整の結果を安定化させるためにも、必要となる。
【０００６】
度山カム１では、針床２側に突出する下げカム面１ａの位置をずらして、針床２からキャリッジ側に突出するバット４ｂの高さの高低に応じて、２種類の異なる度目値で編目６を形成可能にする場合もある。さらに、２種類の度目値を、ある程度独立に調整可能にする可変度違い機構も開示されている（たとえば、特許文献２参照）。特許文献２では、２つの度山カムに相当するカムを、同一の下げ角で摺動移動させて、引込み量を調整する。各カムの下側のカム面は、各少なくともフミ１ｂに相当する部分は同形にしている。
【０００７】
なお、度山カム１の下げ角θは、編糸５の引込み量と、編針４が並設される間隔に対応するゲージとの関係で、最適値が決まることが知られている。したがって、度目調整で編糸５の引込み量を変える際には、下げ角θも変えることが理想である。丸編機については、度山カムに相当する目止めカムに設ける軸まわりに回転させて、下げ角θに相当する角度を変化させる技術が開示されている（たとえば、特許文献３参照）。
【先行技術文献】
【特許文献】
【０００８】
【特許文献１】特許第３８９９３１５号公報
【特許文献２】特許第４０１６０３１号公報
【特許文献３】特開２００１−１５９０５５号公報
【発明の概要】
【発明が解決しようとする課題】
【０００９】
横編機の度山カム１の好適な形状は、度決め部１ｂや安定化カム面も含めて設計によって決まる。度目調整の際には、編糸５の引込み量とともに、下げ角θも変化させ、たとえば、引込み量の大小に対応させて、下げ角θも大小に変化させることが理想と考えられている。しかしながら、特許文献３の考え方を適用して、度山カム１を回転させて下げ角θを変化させるだけでは、同時に度決め部１ｂや安定化カム面の角度が変ってしまう。
【００１０】
度決め部１ｂを円弧状にして、円弧の中心を度山カム１の回転中心に一致させれば、度決め部１ｂによる引込み量の決定について、下げ角θの変化の影響を避けることができる可能性があるけれども、好適な形状からは外れてしまう。しかしながら、特許文献３のように、回転のための軸を度決め部１ｂに相当する部分の内側に設けるためには、度決め部１ｂの円弧を軸の径に余肉を加えた大きな半径にしなければならない。また、安定化カム面として、ニゲ１ｃやならし１ｅを設ける場合、これらの作用に対し、回転が大きく影響してしまう。
【００１１】
本発明の目的は、下げ角θの大きさを変えても、度決め部や安定化カム面の作用には影響が生じにくい度山カム装置を提供することである。
【課題を解決するための手段】
【００１２】
本発明は、横編機のキャリッジに搭載され、編針を歯口から退出する方向に引込むように傾斜する下げカム面と、下げカム面の傾斜が終了して編針の引込み量を決定する度決め部と、編針を引込んだ状態で編目を安定させる安定化カム面とを備え、編針の引込み量に対応する度目値を調整可能な度山カム装置において、
該下げカム面を外形の一部として有し、内側には、度決め部の内側に設けられる回転中心を共通の中心とする異なる径の円弧の少なくとも一部ずつに対応する内側の円弧面と外側の円弧面とを輪郭に含む空所を有し、キャリッジの走行方向に対して、下げカム面が傾斜する下げ角が変化しうるように、回転可能な回転カムと、
回転カムを支持する支持面を有し、度目値に対応して、予め定める基準の下げ角の傾斜に沿って摺動移動可能な摺動カムと、
摺動カムの支持面で支持される回転カムの空所内に収容され、空所の輪郭の内側の円弧面と外側の円弧面とにそれぞれ対応する円弧面を有し、対応する円弧面同士を接触さながら回転カムの回転を案内するガイド部材と、
摺動カムの支持面で支持され、ガイド部材によって案内される回転カムを回転させる回転機構とを、
含むことを特徴とする度山カム装置である。
【００１３】
また本発明で、前記度決め部および前記安定化カム面は、前記摺動カムに備えられている、
ことを特徴とする。
【００１４】
また本発明で、前記度決め部は、前記回転中心を中心とする弧の部分を有し、弧の部分で度決めを行う、
ことを特徴とする。
【００１５】
また本発明で、前記キャリッジには、前記摺動カムを前記基準の下げ角に沿って摺動移動するように案内する直線状の摺動案内溝が形成され、
前記回転機構は、
キャリッジに、摺動案内溝に対して大略的に平行となるように形成され、該案内溝との間隔が変化する部分を含む回転案内溝を有し、
回転案内溝で前記回転カムの一部を案内することによって、回転カムを摺動カムに連動させる、
ことを特徴とする。
【発明の効果】
【００１６】
本発明によれば、回転カムは、キャリッジの走行方向に対して、外形の一部として有する下げカム面が傾斜する下げ角が変化しうるように回転可能であり、予め定める基準の下げ角の傾斜に沿って摺動移動可能な摺動カムの支持面で支持される。摺動カムを度目値に対応して摺動移動せれば、編糸の引込み量を変化させることができ、回転機構で回転カムを摺動カムに対して回転させれば、下げカム面の下げ角も変化させることができる。回転カムの内側には、度決め部の内側に設けられる回転中心を共通の中心とする異なる径の円弧の少なくとも一部ずつに対応する内側の円弧面と外側の円弧面とを輪郭に含む空所を有する。回転カムの空所には、空所の外形の内側の円弧面と外側の円弧面とにそれぞれ対応する円弧面を有し、対応する円弧面同士を接触さながら回転カムの回転を案内するガイド部材が収容される。回転中心に軸を設ける必要はないので、度決め部の径を小さくすることができ、下げ角θの大きさを変えても、度決め部や安定化カム面の作用には影響が生じにくくすることが可能となる。
【００１７】
また、本発明によれば、編針の引込み量を決定する度決め部、および編針を引込んだ状態で編目を安定させる安定化カム面は、摺動カムに設けられるので、下げ角θの大きさを変えても、度決め部や安定化カム面の作用には影響が生じない度山カム装置を得ることができる。
【００１８】
また本発明によれば、度決め部は、回転カムを回転させる際の回転中心を中心とする弧の部分で度決めを行うので、回転カムの回転で下げカム面の下げ角を変化させても、度決めの条件は変化しないようにすることができる。
【００１９】
また本発明によれば、キャリッジに、摺動カムを案内する摺動案内溝とともに、回転カムを案内する回転案内溝を設ける簡単な機構で、摺動カムと回転カムとを連動させることができる。
【図面の簡単な説明】
【００２０】
【図１】図１は、本発明の一実施例としての度山カム装置１０の構成を、編針４やキャリッジ２０に搭載されるカムシステムの他の部分も含めて示す平面図および側面図である。
【図２】図２は、図１の度山カム装置１０で、引込み量の変化と下げ角の変化とを連動させている状態を示す部分的な平面図および側面断面図である。
【図３】図３は、図１の度山カム装置１０に用いる回転カム１１と、摺動カム１２およびガイド部材１３の組合せとを示す平面図である。
【図４】図４は、図１の度山カム装置１０に用いる摺動カム１２の左側面図、平面図、および正面図である。
【図５】図５は、図１の度山カム装置１０に用いる回転カム１１とガイド部材１３とを示す平面図および正面図である。
【図６】図６は、図１の度山カム装置１０を駆動する機構の一部を示す平面図である。
【図７】図７は、従来からの度山カム１の形状と、その作用を示す簡略化した平面図である。
【発明を実施するための形態】
【００２１】
以下、図１〜図６で、本発明の一実施例としての度山カム装置１０の構成を示す。図７で説明した事項と対応する部分には、同一の参照符を付して示す。編針４は、フック４ａをべら４ｃで開閉するべら針を示すけれども、フックをスライダで開閉する複合針にも、同様に本発明を適用することができる。
【実施例】
【００２２】
図１は、本発明の一実施例である度山カム装置１０の構成を、編針４やキャリッジ２０に搭載されるカムシステムの他の部分も含めて示す。図示を省略する針床の針溝に収容される編針４は、針本体４ｅの先端にフック４ａが設けられ、度山カム装置１０の作用を受けるバット４ｂは、針本体４ｅとは別体のニードルジャック４ｆに設けられる。編針４は、歯口３を挟んで対向する針床間で編目を移動させる目移しの機能も備え、ニードルジャック４ｆが針本体４ｅと連結される部分付近には、目移し動作に使用するバット４ｇが設けられる。また、針本体４ｅには、目移しの際に編目を係止する羽根４ｈも設けられる。ニードルジャック４ｆの背後には、セレクトジャック７が配置される。セレクトジャック７からも、キャリッジ側にバット７ａが突出する。セレクトジャック７の背後には、編針４を選択する選針を行うセレクタ８が配置される。セレクトジャック７は、セレクタ８による選針の結果に応じ、バット７ａがＢ，Ｈ，Ａの３つのポジションのいずれかをとる。
【００２３】
度山カム装置１０は、回転カム１１、摺動カム１２およびガイド部材１３を含み、キャリッジ２０が針床に臨む表面側に取付けられる。キャリッジ２０は、編針４の配列方向に沿って往復移動し、往復のいずれの方向でも同一の作用を行うために、中心線２０ａに対して対称となるようなカムシステムを有する。度山カム装置１０も、中心線２０ａに対して対称となるように、山形の傾斜に沿って左右に配置されている。このような中心線２０ａに対して対称なカムシステムは、固定ニードルレイジングカム２１、可動ニードルレイジングカム２２、目移し受けカム２３、目移し渡し受け両用カム２４およびガイドカム２５を含む。さらに、セレクトジャック７のバット７ａがＢポジションでとる位置には、固定プレッサ２６が配置される。バット７ａがＨポジションでとる位置には、可動のハーフプレッサ２７ａおよびタックプレッサ２７ｂが配置される。
【００２４】
以上のようなカムシステムは、キャリッジ２０の地板３０に搭載される。可動ニードルレイジングカム２２は、編目形成時には地板３０の表面から突出し、目移し時は地板３０に没入するように切換えられる。地板３０には、度山カム装置１０の摺動カム１２を、特許文献１と同様に案内する案内溝３１が設けられる。また、地板３０には、回転カム１１の回転を案内する回転案内溝３２を有するカム板３３も取付けられる。回転案内溝３２は、地板３０に直接形成することもできる。回転カム１１は、摺動カム１２に取付けられるガイド部材１３で回転可能に支持され、下げカム面１１ａの傾斜角度としての下げ角θ１、θ２を変化させることができる。摺動カム１２の下部には、図７（ｂ）の度決め部１ｂと同様な度決め部１２ｅと、ニゲ１ｃやならし１ｅなどを含む安定化カム面１２ａとが設けられる。ガイド部材１３は、度決め部１２ｅの内側に設ける回転中心１１ｂを中心に回転カム１１が回転するように案内する。
【００２５】
図１で、摺動カム１２の引下げ量が多い右側の度山カム装置１０の下げ角θ１は、摺動カム１２の引下げ量が少ない左側の度山カム装置１０の下げ角θ２よりも大きくなっている。ただし、下げ角θ１，θ２が変化しても、摺動カム１２に設けられる度決め部１２ｅおよび安定化カム面１２ａは、角度が変化しないので、下げ角θ１、θ２の変化の影響を避けることができる。なお、摺動カム１２には、下げカム面１１ａに沿って引込む編針４のバット４ｂが惰性で引込まれ過ぎないように規制する受けカム１２ｂも設けられている。
【００２６】
図２は、図１の度山カム装置１０で、引込み量の変化と下げ角の変化とを連動させている状態を示す。（ａ）は、引込み量が少ない状態を示す。（ｂ）は、引込み量が多い状態を示す。（ｃ）は、（ｂ）の切断面線Ｃ−Ｃから見た断面の構成を示す。回転カム１１は、大略的に平行四辺形の外形を有し、内側には上下が円弧面１１ｃ，１１ｄで形成される輪郭の空所を有する。回転カム１１で下げカム面１１ａに対向する辺の上部と下部からは、大略的に円柱状の突起１１ｅ，１１ｆが裏面側に突出する。回転カム１１の空所には、ガイド部材１３が収容され、取付けボルト１３ａで摺動カム１２の支持面１２ｃに取付けられる。ガイド部材１３には、押え部１３ｂと、回転カム１１の円弧面１１ｃ，１１ｄに嵌合して回転カム１１の回転をガイドする円弧面１３ｃ，１３ｄとがそれぞれ設けられている。各円弧面１１ｃ，１１ｄ；１３ｃ，１３ｄは、回転中心１１ｂを共通の中心としている。
【００２７】
摺動カム１２の度決め部１２ｅおよび安定化カム面１２ａと同様な部分は、回転カム１１の下部にも、度決め部１１ｈおよび安定化カム面１１ｉとして形成されている。度決め部１１ｈ，１２ｅは、回転中心１１ｂを中心とする同一半径の弧の部分を含む。（ａ）では、回転しない摺動カム１２の度決め部１２ｅと安定化カム面１２ａは、回転カム１１の度決め部１１ｈと安定化カム面１１ｉよりも下方となり、編針４のバット４ｂへの作用を行う。（ｂ）では、回転カム１１および摺動カム１２の度決め部１１ｈ，１２ｅと安定化カム面１１ｉ，１２ａとが一致して、編針４のバット４ｂに対して同等に作用する。
【００２８】
回転カム１１の下げカム面１１ａの傾斜は、突起１１ｅが回転案内溝３２で案内されて変化する。回転案内溝３２は、大略的に案内溝３１と平行となるように形成される。ただし、回転案内溝３２で度目値が小さい側では、案内溝３１との間隔が小さい接近部３２ａとなり、度目値が大きい側では、間隔が大きい離反部３２ｂとなる。このような接近部３２ａおよび離反部３２ｂを有する回転案内溝３２は、案内線３２ｃに沿って突起１１ｅを案内する。突起１１ｅが設けられる回転カム１１は、摺動カム１２の支持面１２ｃに回転可能に取付けられている。摺動カム１２が案内溝３１の案内直線３１ａに沿って摺動移動すると、回転カム１１は下げカム面１１ａの傾斜を変える回転を伴って摺動移動する。なお、突起１１ｅの下側にも突起１１ｆを設け、摺動カム１２の案内溝１２ｄで案内するようにすれば、回転をさらに安定に行わせることができる。
【００２９】
図２の（ｃ）に断面構成として示すように、回転カム１１、摺動カム１２およびガイド部材１３は、キャリッジの地板３０が針床に臨む表面側に設けられる。地板３０の裏面側には、度目調整のために摺動カム１２を駆動する駆動部材４０が設けられる。駆動部材４０と摺動カム１２との間には、案内溝３１に嵌合する案内部材４１が設けられる。
【００３０】
図３は、図１の度山カム装置１０に用いる回転カム１１と、摺動カム１２およびガイド部材１３の組合せとを、それぞれ示す。（ａ）に示す回転カム１１は、回転中心１１ｂから半径Ｒｃ，Ｒｄを有する円弧面１１ｃ，１１ｄを上下の輪郭に有する貫通孔１１ｇと、下げカム面１１ａ側の凹部１１ｊと、突起１１ｅ側の凹部１１ｋとを含む空所を有する。
【００３１】
（ｂ）には、摺動カム１２とガイド部材１３とを組合せて示すけれども、図２（ａ），（ｂ）のように回転カム１１を摺動カム１２の支持面１２ｃに取付ける場合は、摺動カム１２からガイド部材１３を取外しておく。回転カム１１を摺動カム１２の支持面１２ｃに載せて、貫通孔１１ｇにガイド部材１３を挿入すれば、回転カム１１は、回転可能な状態で、摺動カム１２の支持面１２ｃで支持される。ガイド部材１３の挿入時、図３（ａ）に示す凹部１１ｊ，１１ｋは、図３（ｂ）に示す左右の押え部１３ｂで押えられる。
回転カム１１のうちで回転中心１１ｂが設けられている部分は、摺動カム１２で安定化カム面１２ａが下側に形成されている部分の表面を覆う。この部分の裏側となる安定化カム面１２ａは、回転カム１１の安定化カム面１１ｉと一致するか、さらに下方に露出し、回転カム１１の下げカム面１１ａで引込んだ編針４のバット４ｂに作用して、編目を安定化させることができる。
【００３２】
図４は、図１の度山カム装置１０に用いる摺動カム１２の左側面図、平面図、および正面図をそれぞれ示す。回転カム１１に図２に示すような突起１１ｆを設ける場合は、案内溝１２ｄを設ける必要がある。支持面１２ｃには、図２（ｃ）に示す駆動部材４０や案内部材４１と連結するためのボルト孔１２ｅおよびピン孔１２ｆが設けられる。
【００３３】
図５は、図１の度山カム装置１０に用いる回転カム１１とガイド部材１３の平面図および正面図をそれぞれ示す。（ａ）は、回転カム１１の構成を示す。回転カム１１の裏面側には、突起１１ｅ，１１ｆを設ける代りに、ローラなどを設けてもよい。（ｂ）は、ガイド部材１３の構成を示す。ガイド部材１３には、図４に示す摺動カム１２のボルト孔１２ｅおよびピン孔１２ｆに対応する位置に、ボルト孔１３ｅおよびピン孔１３ｆがそれぞれ形成される。
【００３４】
図６は、図１の度山カム装置１０を駆動する機構の一部を示す。回転カム１１、摺動カム１２およびガイド部材１３の組合せは、図２（ｃ）に示すように、地板３０の表面側に設けられる。駆動部材４０は、地板３０の裏面側に設けられ、案内部材４１は、地板３０に形成する案内溝３１内に収容される。案内部材４１は、度目値が最小となる側、すなわち引込み量が最少となる側に、ばね４２で付勢される。駆動部材４０の端部に設けられるローラ４３は、図示を省略している螺旋状のカムで案内され、案内部材４１が案内溝３１に沿って変位して度目値が変化するように、駆動される。なお、螺旋状のカムを回転させる駆動機構は、特許文献１に開示されている。
【００３５】
このような駆動機構を用いることによって、たとえば、次のように、度目値と下げ角θとを連動させることができる。
【００３６】
【表１】
2011137270.tif 000003
【００３７】
表１に示す度目値と下げ角θとの関係は、回転案内溝３２の形状で種々に設定可能な一例である。本実施例では、度目値と下げ角θとを機械的に連動する回転機構を設けるようにしているけれども、度目値と下げ角θとを独立に変化させてもよい。実施例での回転案内溝３２は、地板３０とは別体のカム板３３に設けているので、カム板３３を移動すれば下げ角θを度目値とは独立に調整することができる。このようなカムではなく、回転アクチュエータなどを用いて、回転カム１１の下げ角θを直接変化させることもできる。度目値と下げ角θとを独立に変化可能にしておけば、編糸５の特性などに応じて、適切な度目値と下げ角θとの組合せに設定を変更して編地を編成することができる。
【符号の説明】
【００３８】
４  編針
４ｂ  バット
３  フック
１０  度山カム装置
１１  回転カム
１１ａ  下げカム面
１１ｂ  回転中心
１１ｃ，１１ｄ；１３ｃ，１３ｄ  円弧面
１１ｈ，１２ｅ  度決め部
１１ｉ，１２ａ  安定化カム面
１２  摺動カム
１２ｃ  支持面
１３  ガイド部材
２０  キャリッジ
３０  地板
３１  案内溝
３２  回転案内溝
【図１】
2011137270.tif 000004
【図２】
2011137270.tif 000005
【図３】
2011137270.tif 000006
【図４】
2011137270.tif 000007
【図５】
2011137270.tif 000008
【図６】
2011137270.tif 000009
【図７】
2011137270.tif 000010